(57)【要約】【課題】座椅子として、背部の傾動角度範囲の全域にわたって、確実かつ安定して、無段階で背部を静止できる無段階角度調整金具を提供することを目的とする。【解決手段】被制動用円形外周面部Ｓを、長脚23・短脚24・巻込部21から成る制動用バネ材20によって、弾発的に圧接して、制動する。【選択図】図７
2014104027.tif 000002
【特許請求の範囲】
【請求項１】
座椅子の座部（16）側に取着される第１アーム（１）と、背部（15）側に取着される第２アーム（２）とを、備え、
上記第２アーム（２）側には、被制動用円形外周面部（Ｓ）を有し、
上記第１アーム（１）側には、上記外周面部（Ｓ）に巻込状に外嵌されて弾発的縮径力をもって上記外周面部（Ｓ）に弾発的に圧接する巻込部（21）と、該巻込部（21）の開口端部（22）（22）から突設された弾性変形自在な長脚（23）・短脚（24）と、該長脚（23）・短脚（24）の先端を第１アーム（１）に取着する第１軸（11）・第２軸（12）と、を有し、
上記第１軸（11）の第１軸心点（Ｌ1 ）よりも、上記第２軸（12）の第２軸心点（Ｌ2 ）及び上記円形外周面部（Ｓ）の円形中心点（Ｏs ）を、後方位置に配設して、
上記第１軸心点（Ｌ1 ）と上記円形中心点（Ｏs ）とを結んだ第１直線（Ｎ1 ）が水平線（Ｈ）に対して成す傾斜角度（θ）を、上記背部（15）の使用状態傾動角度範囲（α）の略半分となるように設定したことを特徴とする無段階角度調整金具。
【請求項２】
上記略半分とは、上記（θ）と（α）とをもって示した不等式（α／２−10°）≦θ≦（α／２＋10°）を充足している請求項１記載の無段階角度調整金具。
【請求項３】
上記巻込部（21）と上記外周面部（Ｓ）との嵌合によって第２アーム（２）が第１アーム（１）に対して揺動可能に枢支され、上記第２アーム（２）側の上記背部（15）に作用するベクトル（Ｆ0 ）が、上記外周面部（Ｓ）と上記巻込部（21）との嵌合部位を介して、さらに、上記長脚（23）と短脚（24）を介して、上記第１アーム（１）側へ 100％伝達されるように構成され、上記ベクトル（Ｆ0 ）によって、上記第１直線（Ｎ1 ）が後下方（Ｒ）へ傾動するように、上記長脚（23）・短脚（24）・巻込部（21）から成る制動用バネ材（20）が弾性変形しつつ該巻込部（21）が上記外周面部（Ｓ）に追加圧接力を付与するように構成した請求項１又は２記載の無段階角度調整金具。
【請求項４】
上記制動用バネ材（20）の上記巻込部（21）は、ラジアル方向の幅寸法（Ｗ）が、アキシャル方向の厚さ寸法（Ｔ）よりも大きな形状である請求項３記載の無段階角度調整金具。
【発明の詳細な説明】
【技術分野】
【０００１】
本発明は、無段階角度調整金具に係り、特に、座椅子の背部の角度を無段階に調整するための角度調整金具に関する。
【背景技術】
【０００２】
従来から、図１の斜視図に示すような背部15と座部16を有する座椅子に於て、背部15の傾斜角度を調整するために角度調整金具Ａ，Ａを介して、背部15と座部16を、連結している。
本発明者は、このような用途に使用可能な、十分に多段階に背部15の傾斜角度を調整する角度調整金具に関する発明を提案してきた（例えば、特許文献１参照）。
即ち、上記金具Ａとして、ケス部を有する第１アームと、この第１アームと揺動可能に枢結されるギア部を有する第２アームとを、具備し、かつ、第１アームにはくさび面を形成して、このくさび面に当接自在な浮動くさび部材を、くさび面と上記ギア部の間に形成したくさび形空間内に、浮動自在に装入した多段ギア式角度調整金具を、多数提案してきた。
【０００３】
ところが、さらに進んで「無段階」にて角度調整可能な金具について要望もある。
従来から、この「無段階」に角度を調整できる装置（金具）も知られている（例えば、特許文献２参照）。しかしながら、従来の無段階角度調整装置（金具）は、比較的大型で、部品点数も多く、機構が複雑であり、静止した軸心廻りに回転・揺動する部材に対して、摩擦部材を圧接する構造のものであった。従って、大幅にコンパクト化を図る必要のある（図１に例示の）座椅子用角度調整金具Ａとしては、全く利用できなかった。
しかも、前記特許文献２に開示されたような従来のものは、別途、ロック解除用レバー（操作レバー）を必要としていたため、座椅子としては使い難いという欠点、外部へ突出する部品（レバー）を有し、家庭用としては危険性が高まるという欠点もあった。
【先行技術文献】
【特許文献】
【０００４】
【特許文献１】特許第４４１８３８２号公報
【特許文献２】特開２０００−３００３７１号公報
【発明の概要】
【発明が解決しようとする課題】
【０００５】
解決しようとする課題は、操作レバー無しで、かつ、コンパクトで、機構も簡易な角度調整金具では、使用状態下で座椅子の背部が後方へ倒れる大きな回転トルクに、耐えられない点である。即ち、人が急激に背部へもたれた時に、大きな回転トルクが角度調整金具に作用して、ズルズルと滑り回転してしまう点である。
別の表現をすれば、座椅子用に好適な（コンパクトで操作レバーが省略され、簡易な機構の）無段階角度調整金具を実現することは至難であったという点にある。
【課題を解決するための手段】
【０００６】
本発明に係る無段階角度調整金具は、座椅子の座部側に取着される第１アームと、背部側に取着される第２アームとを、備え；上記第２アーム側には、被制動用円形外周面部を有し；上記第１アーム側には、上記外周面部に巻込状に外嵌されて弾発的縮径力をもって上記外周面部に弾発的に圧接する巻込部と、該巻込部の開口端部から突設された弾性変形自在な長脚・短脚と、該長脚・短脚の先端を第１アームに取着する第１軸・第２軸と、を有し；上記第１軸の第１軸心点よりも、上記第２軸の第２軸心点及び上記円形外周面部の円形中心点を、後方位置に配設して；上記第１軸心点と上記円形中心点とを結んだ第１直線が水平線に対して成す傾斜角度θを、上記背部の使用状態傾動角度範囲αの略半分となるように設定した。
また、上記略半分とは、上記θとαとをもって示した不等式（α／２−10°）≦θ≦（α／２＋10°）を充足していることが望ましい。
【０００７】
また、上記巻込部と上記外周面部との嵌合によって第２アームが第１アームに対して揺動可能に枢支され、上記第２アーム側の上記背部に作用するベクトルが、上記外周面部と上記巻込部との嵌合部位を介して、さらに、上記長脚と短脚を介して、上記第１アーム側へ 100％伝達されるように構成され、上記ベクトルによって、上記第１直線が後下方へ傾動するように、上記長脚・短脚・巻込部から成る制動用バネ材が弾性変形しつつ該巻込部が上記外周面部に追加圧接力を付与するように構成した。
また、上記制動用バネ材の上記巻込部は、ラジアル方向の幅寸法が、アキシャル方向の厚さ寸法よりも大きな形状である。
【発明の効果】
【０００８】
座椅子に座った人が背部にもたれて、大きな力を背部へ与えた際、背部の使用状態の傾動角度範囲の全範囲にわたって安定してそのときの背部の姿勢を保つ。即ち、使用状態下で座った人が、背部を後方へ倒れる方向に、力を与えたとしても、背部は、水平状０°から約80°〜90°の起立状にわたる全範囲で、ズルズルと後下方へ傾動することなく、背部の姿勢を保持可能である。
特に、無段階に背部の傾斜角度を調整自在でありながらも、背部を水平状に寝かせたときも、鉛直状に近く起立したときも、両者の中間の傾斜角度としたときにも、座った人から付与される背部への急激な回転トルクにも対応して、そのときの傾斜角度を維持できる。
さらに、手動の操作レバーも不要であって、コンパクトで、機構も簡易である。
【図面の簡単な説明】
【０００９】
【図１】本発明の無段階角度調整金具を有する座椅子の斜視図であって、かつ、従来技術の説明にも兼用している斜視図である。
【図２】本発明の実施の一形態を示す斜視図である。
【図３】分解斜視図である。
【図４】最大展開状態（β＝０°）の断面図である。
【図５】最大展開状態（β＝０°）の断面図である。
【図６】中間傾斜角度状態の断面図である。
【図７】中間傾斜角度状態の断面図である。
【図８】最大折り畳み状態の断面図である。
【図９】最大折り畳み状態の断面図である。
【図１０】角度保持解除状態の断面図である。
【図１１】角度保持解除状態の断面図である。
【図１２】展開方向へ戻す状態を示す断面図である。
【図１３】展開方向へ戻す状態を示す断面図である。
【図１４】最大展開状態（β＝０°）を示した一部破断斜視図である。
【図１５】本発明の無段階角度調整金具を用いた座椅子の作用説明のための側面図である。
【図１６】背部の傾斜角度βに対応して制動力Ｆがいかに変化するかを示すグラフ図である。
【発明を実施するための形態】
【００１０】
以下、図示の実施の形態に基づき本発明を詳説する。
本発明は、図１に示した背部15と座部16との間に配設される無段階角度調整金具Ｚであり、例えば、座椅子に適用されるが、場合によっては、ソファー，ヘッドレスト，フットレスト等にも使用可能である。図１、及び、図２の斜視図と、図３の分解斜視図に示すように、この無段階調整金具Ｚは、座椅子の座部16側に取着（固着）される第１アーム１と、背部15側に取着（固着）される第２アーム２を、備えている。
【００１１】
第１アーム１はケース部３を一体に有し、ケース部３は、図２〜図14に示すように、丸味のある三角状左右側壁部３Ａ，３Ａと、底壁部３Ｂと、傾斜壁部３Ｃとを有しており、ケース部３の前方端に短い丸パイプ部４が一体に連設されている。この丸パイプ部４は、図１のように座部16の枠体の左右パイプ部の後端に、挿入して、溶接やボルトや、リベット等にて、固着される。
そして、第２アーム２は、丸パイプ部５と、被制動用円筒突部６，６を有する板片部７，７とを、溶接等にて一体に構成されている。例えば、円筒突部６は、大き目の貫孔８を有する円環側壁９と、円筒部10とから成る。しかも、２枚の板片部７，７を、対称形に製作して、平坦面を背中合わせとして、溶接等で一体化し、左右両方向に、円筒突部６，６を突出状に形成する。
上述した円筒突部６の円筒部10の外周面部Ｓが、無段階角度調整において重要な被制動部の機能を発揮する。従って、符号Ｓは、被制動用円形外周面部と呼ぶこととする。
【００１２】
このようにして、第２アーム２側には、被制動用円形外周面部Ｓを有し、図４，図５，図14の最大展開状態に於て、水平状丸パイプ部５よりも上方位置に、被制動用円形外周面部Ｓの円形中心点Ｏs を配設する。
そして、第１アーム１側には、前述の外周面部Ｓに、 270°以上にわたり（望ましくは約 360°近くまでにわたって）巻込状として外嵌する巻込部21と、この巻込部21の開口端部22，22から突設された弾性変形自在な長脚23・短脚24と、この長脚23・短脚24の先端を第１アーム１のケース部３の側壁部３Ａに取着するための第１軸11・第２軸12と、を有している。
上記巻込部21と長脚23と短脚24は、例えば、板素材を打抜き加工（プレス加工）にて打抜形成するのが好ましい。即ち、図３からも明らかなように、２個の（板バネ状の）制動用バネ材20，20を、第１アーム１側に設ける。
【００１３】
さらに説明すれば、この制動用バネ材20，20の巻込部21，21は、自由状態における内径寸法を、外周面部Ｓの外径寸法よりも、小さく設定する。これによって、巻込部21，21を外周面部Ｓに外嵌した状態で、巻込部21，21は弾発的縮径力をもって、外周面部Ｓに弾発的に圧接して、制動力（ブレーキ力）を作用させる。
なお、長脚23・短脚24の先端（下端）には、取付孔25・取付孔26が貫設され、かつ、ケース部３の側壁部３Ａ，３Ａには取付孔27，27（図３参照）が貫設され、串挿状に、（リベット等から成る）第１軸11・第２軸12が挿通されて、リベット端部（塑性）加工等にて、ケース部３内に、制動用バネ材20，20を収納すると共に、円筒突部６，６及び板片部７の大半部を収納する。
【００１４】
なお、第３軸13は、側壁部３Ａの別の孔28に挿通するが、円筒突部６の貫孔８よりも十分に小径であって、十分な円環状間隙Ｅを形成する。
従って、この第３軸13は、第１アーム１と第２アーム２とを、枢支するものではない。そして、第１アーム１と第２アーム２とを枢支するのは、制動用バネ材20の巻込部21の内周面部21Ａと、円筒突部６の外周面部Ｓとの、嵌合部位である。（後に詳しく説明するが、）図１に示した（座った人からの）背部15に与えられる大きなベクトル（外力）Ｆ0 は、図７に示した如く、上記嵌合部位に於て、ベクトルＦ0 及び回転モーメントＭとして作用すると、力学上、考えることができる。
【００１５】
そして、第１軸11の第１軸心点Ｌ1 よりも、第２軸12の第２軸心点Ｌ2 及び円形外周面部Ｓの円形中心点Ｏs を、後方位置に配設する。かつ、円形中心点Ｏs は第２軸心点Ｌ2 よりも後方位置とする。なお、ここで、「後方」とは、図１の座椅子に於て、背部15の存在する座椅子の後方を言う。
図７に示した側面視に於て、第１軸心点Ｌ1 と円形中心点Ｏs とを結んだ第１直線Ｎ1 が、水平線Ｈに対して成す傾斜角度θは、図15に示した座椅子の使用状態の側面図に於て、背部15の使用状態傾動角度範囲αの略半分に設定されている点が、本発明の大きな特徴である。
【００１６】
上記使用状態傾動角度範囲αとは、通常、図５の背部の（水平線に対する）傾斜角度βは、０°から80°乃至90°の間で変化させる必要があるため、80°≦α≦90°であると言える。なお、図15に於て、背部の（水平線に対する）傾斜角度の一例として、０°，40°，80°， 108°の場合を、β0 ，β40，β80，β108 と表示したが、結局、図15の具体例では、α＝80°の場合を一例として図示したものである。そして、β80からβ108 の範囲は、最大折り畳み状態（80°）からさらに折り畳んで角度保持を解除させるために背部15を揺動させる角度範囲であって、図８，図９から図10，図11のように、第２アーム２を反時計方向に揺動させて、外周面部Ｓに対して、制動用バネ材20の巻込部21の弾発的締付力を解除して、角度保持を解除させる角度範囲である。
言い換えると、背部15が座った人Ｐのもたれ掛る力（ベクトルＦ0 ）を受け止めて、支持するのは、図15の具体例では、β0 からβ80の使用状態傾動角度範囲αが80°の場合を例示しており、前記傾斜角度θは、その使用状態傾動角度範囲αの略半分である。
【００１７】
一般式をもって示せば、本発明に於て、上記「略半分」が、θとαとをもって示した下記数式を充足することが好ましい。
（α／２−10°）≦θ≦（α／２＋10°）
故に、例えば、α＝80°の場合は、30°≦θ≦50°に設定し、α＝90°の場合は、35°≦θ≦55°に設定することとなる。
さらに望ましくは、「略半分」として、次の数式を充足するように、θを設定する。
（α／２−５°）≦θ≦（α／２＋５°）
故に、例えば、α＝80°の場合は、35°≦θ≦45°に設定し、α＝90°の場合には、40°≦θ≦50°に設定することとなる。
【００１８】
次に、長脚23と短脚24と巻込部21から成る制動用バネ材（弾性バンド部材）20が、（図15の）座った人Ｐが背部15に与える外力（ベクトル）Ｆ0 を受け持つこと、即ち、制動用バネ材（弾性バンド部材）20を介して、座った人Ｐが背部15に与える外力（ベクトル）Ｆ0 を 100％、第１アーム１側へ伝達すること、に関して、以下説明する。
【００１９】
左右一対の巻込部21と、左右一対の円筒部10の外周面部Ｓとの嵌合によってのみ、第２アーム２が第１アーム１に対して揺動可能に枢支されている構造であることは、第３軸13が（円環状間隙Ｅを介して）貫孔８に遊嵌されている点から、明らかである。
図１，図７，図15に示すように、第２アーム２側の背部15に作用するベクトルＦ0 が、外周面部Ｓと巻込部21との嵌合部位を介して、さらに、長脚23と短脚24を介して（かつ、第１軸11と第２軸12を介して）、第２アーム２側から第１アーム１側へ 100％伝達されるように構成されている。
図７に示すように、大きな外力（ベクトル）Ｆ0 は、全て外周面部Ｓと巻込部21の嵌合部位を介して伝達され、このベクトルＦ0 によって、第１直線Ｎ1 が後下方（図６の矢印Ｒ参照）へ傾動するように、長脚23・短脚24・巻込部21から成る制動用バネ材20が弾性変形しつつ、巻込部21が外周面部Ｓに追加圧接力を付与する。
【００２０】
既述の如く、自由状態下で巻込部21の内径寸法は外周面部Ｓの外径寸法よりも、小さく設定されており、常時弾発的に圧接力（基本的圧接力）を発生しているが、（図１と図15のように、）座った人ＰからのベクトルＦ0 が背部15に付与されると、図７の矢印Ｍにて示す回転モーメントにて巻込部21が嵌合部位の摩擦力にて巻込状に締付けると同時に、ベクトルＦ0 によって、第１軸11と第２軸12にて固着された長脚23・短脚24の先端（下端）を（静止した）ベースとして、巻込部21（円筒突部６）が、図６の矢印Ｒの方向に微小移動するように、制動用バネ材20が曲げ弾性変形及び部分的圧縮変形を発生し、いわば巻込部21の外周面部Ｓに対する締付力が強力に発生し、もって強力な制動力（ブレーキ力）を生じ、外周面部Ｓとの相対的滑りを強力に阻止できる構造である。
【００２１】
また、弾性バンド部材としての制動用バネ材20の巻込部21（の全体又は大部分）は、図14に示すように、ラジアル方向の幅寸法Ｗが、アキシャル方向の厚さ寸法Ｔよりも大きく、いわゆる縦添え巻きとする。このように、Ｗ＞Ｔとすることにより、（図６と図７等をもって述べた）外力（ベクトル）Ｆ0 と回転モーメントＭに対応して、矢印Ｒ方向へ適度の抵抗を示しつつ、外周面部Ｓに対する強力な締付力（制動力）を発生できる。（即ち、Ｗ≦Ｔの場合には、矢印Ｒ方向に過大に弾性変形してしまって、締付力を十分に発生できない。）
【００２２】
図16は、横軸に、座椅子の背部15の傾斜角度βを採り、縦軸に制動力Ｍ0 を採った実測図であり、図15に例示したように傾動角度範囲αを80°とすると共に、図７に示した傾斜角度θを40°に設定した本発明実施例を実線をもって示し、他方、点線はθを０°に設定した場合の比較例を示す。
この比較例では、背部15が最大展開状態近傍（βが０°近くの範囲）では強大な制動力Ｍ0 を発生する。しかしながら、座った人Ｐから受ける外力（ベクトル）Ｆ0 に伴って発生する最大予測回転モーメント（必要制動力）を示す直線Ｍx に対して、背部15が起立して（折り畳まれて）、最大折り畳み状態に近づくと、その直線Ｍx 未満まで低下してしまうことが判る。即ち、比較例では、最大予測回転モーメント（必要制動力）の値未満になってしまう領域（傾斜角度β）が存在し、座った人Ｐが急激に背部15へもたれ掛った際は、背部15が後方へ倒れて、危険である。
【００２３】
これに対し、本願発明の実施例では、背部15の傾斜角度範囲αの半分の傾斜角度40°にて最大の制動力Ｍ0 を発生し、傾斜角度βが０°から80°の全傾斜角度βにて、常に前記直線Ｍx を越えた大きな制動力Ｍ0 を発生でき、図15に示した背部15が、最大展開状態から中間傾斜状態を経て最大折り畳み状態にわたる傾動角度範囲αの全域にて、安定して、各傾斜角度βを維持できて、安全性に優れていることを示す。
【００２４】
ところで、本発明は、制動力解除手段を備え、この解除手段は、極めて簡易かつ簡素な構造をもって構成される。即ち、図３〜図14に於て、巻込部21の開口端部22，22の対向面の一方（長脚23側）には、深凹窪部31と浅凹窪部32を近接して並設し、対向面の他方（短脚24）にはラジアル方向平滑面33とラジアル外端小突部34を形成する。浅凹窪部32をラジアル外方側に配設する。浮動カムピン30を、上記平滑面33と、深凹窪部31と浅凹窪部32との間隙部に、介装して、このカムピン30が深凹窪部31に存在するときは、巻込部21は、その弾発付勢力をもって、外周面部Ｓを圧接自在であり、かつ、図７に示したように、外力（ベクトル）Ｆ0 が背部15に作用した際に一層強力に巻込部21が外周面部Ｓを締付ける（圧接する）ことも、可能な状態―――制動可能状態―――にある（図４，図５，図６，図７，図８，図９，図14参照）。
【００２５】
そして、カムピン30が浅凹窪部32に存在するときは、巻込部21は、外周面部Ｓを圧接しない状態となり、（制動力が作用しない）フリー状態として、第２アーム２は、自由に揺動できる（図10，図11，図12，図13参照）。但し、図15のβ108 の状態下では、図10に示すように、第１アーム１のケース部３の一部３Αと、第２アーム２の一部２Ａが当接し、それ以上は折り畳まれないで停止させている。
このように、制動力作動状態と制動力解除状態とに切換るように、平滑面33と、深凹窪部31・浅凹窪部32の間隙寸法、及び、カムピン30の外径寸法を、設定する。
なお、図示省略するが、長脚23・短脚24の対向面に、深凹窪部31・浅凹窪部32を配設するも、自由である。
【００２６】
次に、図10・図11から図12・図13の状態へ揺動する際（即ち、展開方向へ戻す際）には、カムピン30は、浅凹窪部32に存在し、巻込部21の内周面は外周面部Ｓから少し遊離しており、自由に第２アーム２が図の時計廻りに揺動できる。ところが、図12に示すように、第２アーム２の板片部７には、制動可能状態への切換用小突部35が設けられており、図12・図13の状態から第２アーム２を（図の時計方向に）さらに（展開）揺動させると、この小突部35によって、カムピン30がラジアル内方向へ押圧されて、浅凹窪部32から深凹窪部31へ（強制的に）移されて、図14と図４・図５に示す制動可能状態に切換る。
【００２７】
長脚23と短脚24を有する制動用バネ材20の長脚23と短脚24を前と後ろに配設し、かつ、既説の構成としたので、第２アーム２を図の反時計方向へ揺動して、図６・図７を経て図８・図９の状態まで折り畳むことは、背部15を少しの手の力をもって起こしてやれば、容易である。即ち、外力Ｆ0 が図１，図７に示す方向に作用するときには、本発明に係る制動用バネ材20は外周面部Ｓを強力に締付けて（圧接して）、制動作用をなすのであるが、背部15を起立方向（折畳方向）に人力にて揺動させる際は、軽い摩擦力が作用するのみであって、容易に起こすことができる。
図８・図９の状態から、さらに、図の反時計方向へ揺動させると、図10・図11に示すように、カムピン30が、浅凹窪部32に押込まれるが、この押込みのための押込用勾配段付部（非制動への切換用勾配段付部）36が、第２アーム２の板片部７に形成されている。
【００２８】
以上述べたように、制動力解除手段は、深凹窪部31と浅凹窪部32、及び、浮動カムピン30と、押込用勾配段付部36等の簡易かつ簡素な構造にて構成され、誤動作なく確実に切換作動する。
また、本発明は制動力復元手段を具備し、その構成は、深凹窪部31と浅凹窪部32、及び、浮動カムピン30と、制動への切換用小突部35等から成り、簡易かつ簡素な構造であって、誤動作なく、確実な切換作動を行う。
【００２９】
ところで、外周面部Ｓに、ブレーキシューの材質を用いたり、ショットピーニング又はプレス等で粗面として、摩擦係数を高めて制動用バネ材20によって、一層確実に、滑りを防止して、座椅子の背部15が不意に後方へ倒れる危険を防止することも好ましい。
【００３０】
本発明は、以上述べたように、座椅子の座部16側に取着される第１アーム１と、背部15側に取着される第２アーム２とを、備え；上記第２アーム２側には、被制動用円形外周面部Ｓを有し；上記第１アーム１側には、上記外周面部Ｓに巻込状に外嵌されて弾発的縮径力をもって上記外周面部Ｓに弾発的に圧接する巻込部21と、該巻込部21の開口端部22，22から突設された弾性変形自在な長脚23・短脚24と、該長脚23・短脚24の先端を第１アーム１に取着する第１軸11・第２軸12と、を有し；上記第１軸11の第１軸心点Ｌ1 よりも、上記第２軸12の第２軸心点Ｌ2 及び上記円形外周面部Ｓの円形中心点Ｏs を、後方位置に配設して；上記第１軸心点Ｌ1 と上記円形中心点Ｏs とを結んだ第１直線Ｎ1 が水平線Ｈに対して成す傾斜角度θを、上記背部15の使用状態傾動角度範囲αの略半分となるように設定した構成であるので、部品点数も少なく、小型であり、手動操作レバーを省略できた簡素な構成であって、座椅子として特に好適である。しかも、背部15を無段階で所望の角度βまで起立してゆけば、直ちに、その所望角度で強力に、（後方への）倒れが阻止され、座った人Ｐが急激に背部15へもたれて、大きな外力Ｆが作用しても、不意に、ズルズルと滑り揺動する危険性がない。
特に、座椅子として使用される（80°〜90°の）傾動角度範囲αの背部のいずれの傾斜角度βに於ても、略均等な制動力を発揮させることができる。
【００３１】
また、上記略半分とは、上記θとαとをもって示した不等式（α／２−10°）≦θ≦（α／２＋10°）を充足させているので、座椅子に使用した場合に、図16に示したように、背部の傾斜角度βの現実の使用範囲に於て、必要制動力（最大予想回転モーメント）Ｍx よりも、十分に大きくすることが、可能となった。
【００３２】
また、上記巻込部21と上記外周面部Ｓとの嵌合によって第２アーム２が第１アーム１に対して揺動可能に枢支され、上記第２アーム２側の上記背部15に作用するベクトルＦ0 が、上記外周面部Ｓと上記巻込部21との嵌合部位を介して、さらに、上記長脚23と短脚24を介して、上記第１アーム１側へ 100％伝達されるように構成され、上記ベクトルＦ0 によって、上記第１直線Ｎ1 が後下方Ｒへ傾動するように、上記長脚23・短脚24・巻込部21から成る制動用バネ材20が弾性変形しつつ該巻込部21が上記外周面部Ｓに追加圧接力を付与するように構成したので、（従来のように、回転力のみを制動する無段階角度調整金具に比べて）力学上、極めて合理的に、制動用バネ材20の弾性的曲げ変形及び弾性的バンド絞り変形等による、外周面部Ｓへの圧接力を、活用した発明であるといえる。
【００３３】
また、上記制動用バネ材20の上記巻込部21は、ラジアル方向の幅寸法Ｗが、アキシャル方向の厚さ寸法Ｔよりも大きな形状であるので、全体が小型の制動用バネ材20をもって、強大かつ安定した制動力を発生可能となる。
【符号の説明】
【００３４】
１  第１アーム
２  第２アーム
11  第１軸
12  第２軸
15  背部
16  座部
20  制動用バネ材
21  巻込部
22  開口端部
23  長脚
24  短脚
Ｆ0   ベクトル
Ｈ  水平線  
Ｌ1   第１軸心点
Ｌ2   第２軸心点
Ｎ1   第１直線
Ｏs   円形中心点
Ｒ  後下方
Ｓ  外周面部
Ｔ  厚さ寸法
Ｗ  幅寸法
α  傾動角度範囲
β  背部の傾斜角度
θ  傾斜角度
【図１】
2014104027.tif 000003
【図２】
2014104027.tif 000004
【図３】
2014104027.tif 000005
【図４】
2014104027.tif 000006
【図５】
2014104027.tif 000007
【図６】
2014104027.tif 000008
【図７】
2014104027.tif 000009
【図８】
2014104027.tif 000010
【図９】
2014104027.tif 000011
【図１０】
2014104027.tif 000012
【図１１】
2014104027.tif 000013
【図１２】
2014104027.tif 000014
【図１３】
2014104027.tif 000015
【図１４】
2014104027.tif 000016
【図１５】
2014104027.tif 000017
【図１６】
2014104027.tif 000018